(57)【要約】【課題】ＴＥ信号、ＦＥ信号を用いて偏重心ディスクであるかどうかを正確に検出するディスク装置を提供する。【解決手段】スピンドルモータ２、ＰＵヘッド３、ＴＥ／ＦＥ生成部４１、偏重心ディスク検出プログラム７１を動作させる制御部７等を備え、スピンドルモータ２の回転数を３００ｒｐｍに制御して、１周分のトラッキングエラー信号の振られ量ＴＥ１、フォーカスエラー信号の振られ量ＦＥ１を得ると共に、前記回転数を６０００ｒｐｍに制御して、１周分のトラッキングエラー信号の振られ量ＴＥ２、フォーカスエラー信号の振られ量ＦＥ２を得て、Ｖ２の絶対値が閾値Ｄ１以上か（ＳＴ３のＮＯ）、ＴＥ２とＦＥ２との積Ｖ２を、ＴＥ１とＦＥ１との積Ｖ１で除算したＶ２／Ｖ１の絶対値が第１の閾値Ｄ２以上であれば（ＳＴ４のＹＥＳ）偏重心ディスクであると検出する。【選択図】図２
2008034031.tif 000002
【特許請求の範囲】
【請求項１】
装置本体にセットされているＤＶＤにレーザ光を照射し、その反射光を検出するピックアップヘッドと、
前記ＤＶＤを回転させるスピンドルモータと、
前記ピックアップヘッドで検出されたＤＶＤの反射光から、ＤＶＤの記録面と前記ピックアップヘッドから照射されたレーザ光の集光位置とのずれ量を示すフォーカスエラー信号、およびＤＶＤのトラックの中心と前記ピックアップヘッドから照射されたレーザ光の照射位置とのずれ量を示すトラッキングエラー信号を生成する信号生成手段と、
を備えた光ディスク装置において、
前記スピンドルモータの回転数を第１のディスク回転数に制御して、トラッキングエラー信号の振られ量ＴＥ１、フォーカスエラー信号の振られ量ＦＥ１を得ると共に、前記スピンドルモータの回転数を、第１のディスク回転数よりも高い第２の回転数に制御して、トラッキングエラー信号の振られ量ＴＥ２、フォーカスエラー信号の振られ量ＦＥ２を得る制御手段と、
前記ＴＥ２と前記ＦＥ２との積であるサーボ振られ量Ｖ２を、前記ＴＥ１と前記ＦＥ１との積であるサーボ振られ量Ｖ１で除算したＶ２／Ｖ１の絶対値が第１の閾値以上であるか、前記Ｖ２の絶対値が第２の閾値以上であれば、前記セットされたＤＶＤが偏重心ディスクであると検出する偏重心ディスク検出手段と、
前記偏重心ディスク検出手段が、前記セットされたＤＶＤが偏重心ディスクであると検出した場合には、その旨を報知する報知手段と、を備えた光ディスク装置。
【請求項２】
装置本体にセットされているディスクにレーザ光を照射し、その反射光を検出するピックアップヘッドと、
前記ディスクを回転させるスピンドルモータと、
前記ピックアップヘッドで検出されたディスクの反射光から、ディスクの記録面と前記ピックアップヘッドから照射されたレーザ光の集光位置とのずれ量を示すフォーカスエラー信号、およびディスクのトラックの中心と前記ピックアップヘッドから照射されたレーザ光の照射位置とのずれ量を示すトラッキングエラー信号を生成する信号生成手段と、
を備えた光ディスク装置において、
前記スピンドルモータの回転数を第１のディスク回転数に制御して、トラッキングエラー信号の振られ量ＴＥ１、フォーカスエラー信号の振られ量ＦＥ１を得ると共に、前記スピンドルモータの回転数を、第１のディスク回転数よりも高い第２の回転数に制御して、トラッキングエラー信号の振られ量ＴＥ２、フォーカスエラー信号の振られ量ＦＥ２を得る制御手段と、
前記ＴＥ２と前記ＦＥ２との積であるサーボ振られ量Ｖ２を、前記ＴＥ１と前記ＦＥ１との積であるサーボ振られ量Ｖ１で除算したＶ２／Ｖ１の絶対値が第１の閾値以上であれば、前記セットされたディスクが偏重心ディスクであると検出する偏重心ディスク検出手段を備える光ディスク装置。
【請求項３】
前記偏重心ディスク検出手段は、さらに、前記Ｖ２の絶対値が第２の閾値以上であれば、前記セットされたディスクが偏重心ディスクであると検出する請求項１に記載の光ディスク装置。
【請求項４】
前記偏重心ディスク検出手段が、前記セットされたディスクが偏重心ディスクであると検出した場合には、その旨を報知する報知手段をさらに備える請求項２〜３のいずれかに記載の光ディスク装置。
【発明の詳細な説明】
【技術分野】
【０００１】
本発明は、偏重心ディスクを検出するディスク装置、およびこの検出に基づいてデータを記録する光ディスク装置に関するものである。
【背景技術】
【０００２】
従来のディスク記録装置、例えばＤＶＤ記録装置では、偏重心ディスクに対して高速でデータを記録すると、大きな振動が発生し、安定した記録ができないことから、光ディスク（以下単にディスクという）の記録前に予め、偏重心ディスクかどうかを判定していた。
【０００３】
この偏重心ディスクかどうかを判定する方法としては、振動センサを設ける方法があった。また、ピックアップをディスクの所定のトラックにトラックオンさせるために検出するトラッキングエラー信号（以下「ＴＥ信号」という。）やフォーカスエラー信号（以下「ＦＥ信号」という）から判定する方法があった（特許文献１〜３等）。このＴＥ信号、ＦＥ信号を検出する方法では、ピックアップを所定のトラックにトラックオンさせるために、本来的に必要となる構成を用いて、付加的な振動センサを設けることなく偏重心ディスクかどうかを検出できる。これら特許文献１〜３のように、ＴＥ信号、ＦＥ信号を用いて偏重心ディスクかどうか判定する方法では、ＴＥ信号、ＦＥ信号でそれぞれ閾値を設定して偏重心ディスクであるかどうか判定していた。
【０００４】
特許文献１では、ディスク偏芯に対応するオートバランサー機能を備え、オートバランサー機能が働いているかどうかを判定するために、ＴＥ信号、ＦＥ信号を検出しそれぞれ閾値と比較するディスク装置について開示されている。オートバランサー機能は、規定回転数以上でなければ効果を発揮しないが、一旦、規定回転数以上の高速で回転させると、規定回転数以下でもその効果が持続する。そこで、回転数を高速回転時で上げていく過程で、逐次ＴＥ信号、ＦＥ信号を検出し、その後中間速度まで下げてＴＥ信号、ＦＥ信号を検出することで、オートバランサーの効果を確認する旨の記載がある。
【０００５】
特許文献２では、（ディスクの回転数）対（その回転数で検出したＴＥ信号（本願のＴＥ信号の振られ量に対応））の傾きが閾値以下であるかどうかを用いてディスクが偏重心ディスクかどうかを判定する旨の記載がある。
特許文献３では、トラキングオンの状態でのＴＥの振幅（本願のＴＥ信号の振られ量に対応）とトラッキングオフとの状態でのＴＥの振幅を比較判定して、記録速度を変更する手段と、トラキングオンの状態でのＦＥ信号の振幅と起動時に得られるＦＥ信号のＳ字振幅とを比較判定して記録速度を変更する手段の記載がある。
【特許文献１】特開２０００−１８２３１７号公報
【特許文献２】特開２００４−９５０７９号公報
【特許文献３】特開２００５−３１０３２８号公報
【発明の開示】
【発明が解決しようとする課題】
【０００６】
しかしながら、従来のように、ＴＥ信号、ＦＥ信号を用いて偏重心ディスクかどうか判定する方法において、ＴＥ信号、ＦＥ信号単体でそれぞれ閾値を設定して、偏重心ディスクであるかどうか判定しても、閾値の境界線を引きにくいという問題があった。即ち、ディスクが振られる方向性にはばらつきがあるから、トラック位置との水平方向の誤差の振幅を表すＴＥ信号の振られ量、またはトラック位置との垂直方向の誤差の振幅を表すＦＥ信号の振られ量のうちの片方だけ（または片方ずつ）と、閾値とを比較しても、必ずしも、偏重心の程度（具体的には、データを記録する時や読み取る時における、サーボの安定性または検出されるエラーの数）との関係は必ずしもリニアでなく、閾値の境界線を引きにくいという問題があった。
【０００７】
本発明はこのような課題を解決するものであり、ＴＥ信号、ＦＥ信号を用いて偏重心ディスクであるかどうかを正確に検出するディスク装置を提供することを目的とする。
【課題を解決するための手段】
【０００８】
本発明は、前記課題を解決するために以下の構成を備えている。
【０００９】
（１）本発明は、
装置本体にセットされているディスクにレーザ光を照射し、その反射光を検出するピックアップヘッドと、
前記ディスクを回転させるスピンドルモータと、
前記ピックアップヘッドで検出されたディスクの反射光から、ディスクの記録面と前記ピックアップヘッドから照射されたレーザ光の集光位置とのずれ量を示すフォーカスエラー信号、およびディスクのトラックの中心と前記ピックアップヘッドから照射されたレーザ光の照射位置とのずれ量を示すトラッキングエラー信号を生成する信号生成手段と、
を備えた光ディスク装置において、
前記スピンドルモータの回転数を第１のディスク回転数に制御して、トラッキングエラー信号の振られ量ＴＥ１、フォーカスエラー信号の振られ量ＦＥ１を得ると共に、前記スピンドルモータの回転数を、第１のディスク回転数よりも高い第２の回転数に制御して、トラッキングエラー信号の振られ量ＴＥ２、フォーカスエラー信号の振られ量ＦＥ２を得る制御手段と、
前記ＴＥ２と前記ＦＥ２との積であるサーボ振られ量Ｖ２を、前記ＴＥ１と前記ＦＥ１との積であるサーボ振られ量Ｖ１で除算したＶ２／Ｖ１の絶対値が第１の閾値以上であれば、前記セットされたディスクが偏重心ディスクであると検出する偏重心ディスク検出手段を備える。
【００１０】
この構成で、トラッキングエラー信号の振られ量ＴＥ１、ＴＥ２、フォーカスエラー信号の振られ量ＦＥ１、ＦＥ２は、それぞれ、トラックオンさせたトラックとピックアップとの相対的な位置関係についての、水平方向、垂直方向の誤差の振幅を表している。そして、偏重心ディスク検出手段が計算するＴＥ１とＦＥ１の積（サーボ振られ量Ｖ１）、またはＴＥ２とＦＥ２の積（サーボ振られ量Ｖ２）は、ディスクの断面方向で見た、所定のトラックとピックアップとの相対的な位置の誤差範囲の面積（以下「振れ面積」という。）を表すものである。光ディスクの振れの方向性は個体によりばらつきがあるから、偏重心の程度（具体的には、ディスクの記録や読み取り時における、サーボの安定性または検出されるエラーの数）と、振れ面積の関係の方が、水平方向、垂直方向の振られ成分のいずれかとの関係よりも、よりリニアな対応関係を得ることができる。即ち、偏重心の程度を判定するのに、振れ面積を指標とした方が、従来のように水平方向、垂直方向の振られ成分のＴＥ２、ＦＥ２のいずれかと比較するよりも、閾値の境界線を引きやすい。
【００１１】
さらに、この構成では、単にサーボ振られ量を指標とするのではなく、制御手段がスピンドルの回転数を第１、第２の回転数に制御して、それぞれ測定したサーボ振られ量Ｖ１、サーボ振られ量Ｖ２を計算して、その増加比率Ｖ２／Ｖ１の絶対値を計算している。このように、複数の回転数で測定したサーボ振られ量の増加比率を指標として、閾値と比較しているので、ピックアップの製造上の個体差等のばらつきがあっても、これをキャンセルすることができるから、より確実に閾値の境界線を引くことができる。
【００１２】
以上のとおり、「振れ面積」、「回転数に対するサーボ振られ量の増加率」を用いているので、ディスクの振られる方向（垂直方向または水平方向）のばらつき、ピックアップの製造上の個体差等のばらつきがあっても、より確実に閾値の境界線を引くことができるから、セットしたディスクが偏重心ディスクであるかどうかをより精度良く検出できる。したがって、偏重心ディスクであるディスクを誤って高速で記録、読み出しをして、エラーを出したり、偏重心ディスクでないディスクを、低速で記録、読み出しするしかないと判断して、ユーザに不便を強いたりすることを回避できる。
【００１３】
また、この構成では、ディスクをトラックオンさせるのに本来的に必要となる、フォーカスエラー信号、およびトラッキングエラー信号を生成する信号生成手段、ディスクを回転させるスピンドルモータ、およびその回転制御（本構成の制御手段）を用いているので、振動センサ等の付加的な構成を必要としないメリットがある。
【００１４】
なお、この構成で、ＴＥ信号の振られ量、ＦＥ信号の振られ量としては、例えば、それぞれディスク１周分の振られ量の振幅を測定すればよい。また、これらの振られ量としては、複数周測定して、その平均値をとって計算して良い。
また、光ディスク装置で使用するディスクをＤＶＤとすることができ、この場合には、第１の回転数を例えば３０００ｒｐｍにすることができ、第２の回転数を例えば６０００ｒｐｍにすることができる。
【００１５】
（２）本発明は、
前記偏重心ディスク検出手段は、さらに、前記Ｖ２の絶対値が第２の閾値以上であれば、前記セットされたディスクが偏重心ディスクであると検出することを特徴とする。
【００１６】
この構成では、（１）で説明した「振れ面積」を指標として第２の閾値と比較しているので、より確実に閾値の境界線を引くことができるから、セットしたディスクが偏重心ディスクであるかどうかをより精度良く検出できる。したがって、偏重心ディスクであるディスクを誤って高速で記録、読み出しをして、エラーを出したり、偏重心ディスクでないディスクを、低速で記録、読み出しするしかないと誤って判定して、ユーザに不便を強いたりすることを回避できる。
【００１７】
（３）本発明は、
前記偏重心ディスク検出手段が、前記セットされたディスクが偏重心ディスクであると検出した場合には、その旨を報知する報知手段をさらに備える。
【００１８】
この構成では、報知手段を備えているから、例えば、「このディスクは偏重心ディスクですから、高倍速で記録できません。」という旨を表示部に表示したり、音声で放音したりして、ユーザに報知することができる。したがって、ユーザが高倍速記録を指示したのに、ビデオが表示されるまで、ディスクにビデを記録するのに、予想外にもたもた時間がかかったりすることを回避できるから、光ディスク装置のユーザの便宜に供することができる。
【発明の効果】
【００１９】
この発明によれば、「振れ面積」、「回転数に対するサーボ振られ量の増加率」を用いているので、ディスクの振られる方向（垂直方向または水平方向）のばらつき、ピックアップの製造上の個体差等のばらつきがあっても、より確実に閾値の境界線を引くことができるから、セットしたディスクが偏重心ディスクであるかどうかをより精度良く検出できる。したがって、偏重心ディスクであるディスクを誤って高速で記録、読み出しをして、エラーを出したり、偏重心ディスクでないディスクを、低速で記録、読み出しするしかないと判断して、ユーザに不便を強いたりすることを回避できる。
【発明を実施するための最良の形態】
【００２０】
以下、図１を用いて本発明の実施形態である光ディスク装置の概略について説明する。
図１は、光ディスク装置１の構成の一部を示すブロック図である。光ディスク装置１は、ディスクを回転させるスピンドルモータ２と、ＤＶＤ１００にレーザ光を照射しその反射光を検出するピックアップヘッド３（以下「ＰＵヘッド３」という。）と、ＲＦ信号を増幅するＲＦ信号増幅回路４０と、ＤＶＤ１００の所定のトラックに追従させるためのアクチュエータ３４を駆動するため、トラック位置との水平、垂直方向の誤差を表すエラー信号を生成するＴＥ／ＦＥ生成部４１と、アクチュエータ３４の駆動回路４２、ディスク上にデータを記録する場合の記録する位置を表すウォブル信号を出力するウォブル検出回路５、ＤＶＤ１００に記録されているデータの読取を行う記録／再生処理回路６、データ記録時にレーザ出力を調整するレーザパワー制御回路６２、レーザ駆動回路６３と、再生時に記録／再生処理回路６のデータをデコードするデコーダ６５、ディスク装置１本体の動作を制御する制御部７を備えている。
【００２１】
ＰＵヘッド３について説明する。ＰＵヘッド３は、公知のディスク装置と同様に、ピックアップレンズ３０、レーザダイオード３１、ビームスプリッタ３２、フォトディテクタ３３、コリメータレンズ（不図示）などを備えている。また、ＰＵヘッド３は、２つのアクチュエータ３４を備えている。即ち、ＤＶＤ１００に照射するレーザ光の焦点をその光軸方向に移動させるフォーカシングアクチュエータと、前記レーザ光をＤＶＤ１００の半径方向に移動させるトラッキングアクチュエータを備えている。
【００２２】
ビームスプリッタ３２は、レーザダイオード３１の出射光とＤＶＤ１００からの反射光とを分ける。フォトディテクタ３３は、ＤＶＤ１００からの反射光を検出する。コリメータレンズは、点光源であるレーザダイオード３１の出射光を平行光に変換する。
【００２３】
このようなＰＵヘッド３の構成により、レーザダイオード３１は後述のレーザ駆動回路６３の駆動により、所定の強度でレーザ光を出力する。このレーザ光はコリメータレンズを経てビームスプリッタ３２で反射して、ピックアップレンズ３０でＤＶＤ１００表面に集光される。また、このレーザ光はＤＶＤ１００で反射し、この反射光は４つのフォトディテクタ３３で検出され、フォトディテクタ３３はそれぞれ検出信号を出力する。アクチュエータ３４は、後述の駆動回路４２の駆動によりレーザ光を所望の記録トラックに追随させる。
【００２４】
ＲＦ信号増幅回路４０について説明する。ＲＦ信号増幅回路４０は、フォトディテクタ３３で検出された４つの検知信号を全加算したＲＦ信号を増幅する。このＲＦ信号はＤＶＤ１００上のデータを読み取るために用いる。
【００２５】
ＴＥ／ＦＥ生成部４１について説明する。ＴＥ／ＦＥ生成部４１は、光フォトディテクタ３３から出力された信号に基づいて、トラッキングエラー信号ＴＥ、フォーカスエラー信号ＦＥを生成し、ＴＥ、ＦＥを駆動回路４２に出力する。また、ＴＥ／ＦＥ生成部４１は、制御部７が実行する偏重心ディスク検出プログラム７１のコードに基づき、ＴＥ、ＦＥを測定して制御部７に出力する。
【００２６】
ここで、トラッキングエラー信号ＴＥは、ディスクのトラックの中心と前記ピックアップヘッドから照射されたレーザ光の照射位置とのずれ量を示すエラー信号であり、ディスク１００に対し水平方向のずれ量を示している。フォーカスエラー信号ＦＥは、ディスクの記録面と前記ピックアップヘッドから照射されたレーザ光の集光位置とのずれ量を示すエラー信号であり、ディスク１００に対し垂直方向のずれ量を示している。
【００２７】
ＴＥ／ＦＥ生成部４１によるトラッキングエラー信号ＴＥ、フォーカスエラー信号ＦＥの生成については、公知の方法を用いればよい。例えば、フォーカスエラー信号については、フォトディテクタ３３の４つの検知信号を右回りにＡ，Ｂ，Ｃ，Ｄとして、ＦＥ＝（Ａ＋Ｃ）−（Ｂ＋Ｄ）の演算により算出することができる。
駆動回路４２はＴＥ、ＦＥに基づいてアクチュエータ３４を駆動する信号を生成する。
【００２８】
ウォブル検出回路５について説明する。ウォブル検出回路５は、ＰＵヘッド３のフォトディテクタ３３で検出した差動信号の入力を受けて、ウォブル信号を抽出する。このウォブル検出回路５としては、既知のウォブル検出のための回路構成を用いればよく、ここでは説明を除く。ウォブル信号は、記録／再生処理回路６に出力する。ウォブル信号は記録クロックを生成し、ディスクの回転数を制御するために使用する。
【００２９】
記録／再生処理回路６、レーザパワー制御回路６２、レーザ駆動回路６３、デコーダ６５について説明する。記録／再生処理回路６は、ＲＦ信号からＤＶＤ１００のデータ記録面の記録トラックによる反射率の変化を検出する。再生時にはＲＦ信号増幅回路４０から出力されたデータに対して、記録／再生処理回路６は、ＤＶＤ１００での記録トラックの有無に従った２値化を行う。この再生回路としては、一般的なデータ再生のための回路構成を用いればよい。レーザパワー制御回路６２は、レーザの強度を制御するものであり、ＤＶＤ１００のデータ記録時には、データ記録および消去するのに必要なレーザ強度の信号をレーザダイオード３１に与える。読み出し時には、記録時の強度より弱い信号をレーザダイオード３１に与える。デコーダ６５は、記録／再生処理回路６で処理されたＲＦ信号を再生信号にデコードし、図示しないＤ／Ａ変換器、デマルチブレクサを通して、表示器８に映像信号を出力する。
【００３０】
制御部７について説明する。制御部７は、図示していない信号処理ＬＳＩやＲＡＭ、ＲＯＭなどで構成され各種信号処理を行う。制御部７は、スピンドルモータ２の駆動部、レーザパワー制御回路６２、ＲＦ信号増幅回路４０、ＴＥ／ＦＥ生成部４１、ウォブル検出回路５など、光ディスク装置１の各部を制御する。また、制御部７内のＲＯＭには、偏重心ディスクであるかを判定する偏重心ディスク検出プログラム７１が格納されている。制御部７は、このプログラムをＤＶＤ１００のセット時に呼び出して実行させる。または、ＤＶＤ１００への記録、読み出しが要求されたときに、このプログラムを呼び出して実行させてもよい。
【００３１】
表示器８は、光ディスク装置１の外部にあり、記録／再生処理回路６で生成した映像信号に基づいて、映像を出力する。
【００３２】
＜偏重心ディスク検出処理のフローの説明＞
次に、図２を用いて、制御部７が偏重心ディスク検出プログラム７１で行う偏重心ディスク検出処理のフローについて説明する。
【００３３】
＜ＳＴ１＞スピンドルモータ２の回転数を低速の回転数、例えば３０００ｒｐｍに制御して、所定のトラックにトラックオンさせ、ＦＥ信号の振られ量（ＦＥ１という）、ＴＥ信号の振られ量（ＴＥ１という）を測定する。このトラックオンさせる位置については、線速度一定のＤＶＤのみならず回転速度一定のＤＶＤにも対応させるために、内周側にトラックオンさせるのが望ましい。ＦＥ信号の振られ量、ＴＥ信号の振られ量は、それぞれ１周分の振られ量の振幅を測定すればよい。または複数周測定して、その平均値をとっても良い。
【００３４】
＜ＳＴ２＞スピンドルモータ２の回転数を高速の回転数、例えば６０００ｒｐｍに制御して、所定のトラックにトラックオンさせ、ＳＴ１と同様にして、ＴＥ信号の振られ量（ＴＥ２という）、ＦＥ信号の振られ量（ＦＥ２という）を測定する。
【００３５】
＜ＳＴ３＞ＴＥ２とＦＥ２の積を計算して得られた値（「サーボ振られ量Ｖ２」という）が、閾値Ｄ１未満であるか判断する。Ｖ２が閾値Ｄ１未満であれば（ＳＴ３のＹＥＳ）、ＳＴ４に移動する。Ｖ２が閾値Ｄ１以上であれば（ＳＴ３のＮＯ）ＳＴ５に移動して、直ちに偏重心ディスクであると判定し、その旨を検出する。ＳＴ３で計算するＴＥ２とＦＥ２の積は、ディスクの断面方向で見た、所定のトラックとピックアップとの相対的な位置の誤差範囲の面積（以下「振れ面積」という。）を表すものである。
【００３６】
ＳＴ３でサーボ振られ量Ｖ１として、振れ面積を指標とするのは、ＤＶＤ１００の振れの方向性は個体によりばらつきがあるからである。偏重心の程度（具体的には、ディスクの記録や読み取り時における、サーボの安定性または検出されるエラーの数）と、振れ面積の関係の方が、水平方向、垂直方向の振られ成分のいずれかとの関係よりも、よりリニアな対応関係を得ることができる。即ち、偏重心の程度を判定するのに、振れ面積を指標として閾値と比較した方が、水平方向、垂直方向の振られ成分のＴＥ２、ＦＥ２のいずれかと比較するよりも、閾値の境界線を引きやすい。そこで、ＳＴ３では、サーボ振られ量Ｖ１としてこの振れ面積を指標としている。
【００３７】
＜ＳＴ４、ＳＴ５、ＳＴ６＞ＴＥ２とＦＥ２の積を、ＴＥ１とＦＥ１の積で除算した値Ｖ２／Ｖ１が閾値Ｄ２以上であるか判断する。Ｖ２／Ｖ１が閾値Ｄ２以上であれば（ＳＴ４のＹＥＳ）、ＳＴ５に移動し、偏重心ディスクであると判定し、その旨を検出する。Ｖ２が閾値Ｄ２未満であれば（ＳＴ４のＮＯ）、ＳＴ６に移動し、偏重心ディスクでないと判定する。
【００３８】
なお、ＳＴ３のみならず、ＳＴ４を設けているのは、以下の理由による。即ち、ＳＴ３で採用した、１つの回転数で測定したサーボ振られ量Ｖ２の指標だけでは、ピックアップの製造上の個体差等を考えると、ばらつきを吸収できず、閾値の境界線を引きにくいからである。ＳＴ４のように、複数の回転数に対する割合で閾値と比較した方が、このピックアップの個体差をキャンセルできるから、より確実に閾値の境界線を引くことができる。一方、ＳＴ３を設けている理由は、ＳＴ４の予備検査として、サーボ振られ量Ｖ２が明らかに大きいと判断できる場合に、この場合をＳＴ３のＮＯにより直ちに偏重心ディスクであると判断するためである。
【００３９】
次に、図２のフロー後の処理について説明する。制御部７が偏重心ディスクであると検出した場合には、この検出したＤＶＤ１００については、ＤＶＤの記録や読み取り時に不安定となるおそれが高いことから、回転速度を下げてＤＶＤの記録や読み取りを行う。ディスクの記録については、偏重心ディスクでないＤＶＤ１００であれば、高倍速記録である４倍速（ＤＶＤ１００の回転数が６０００ｒｐｍ程度）で記録を行うところ、偏重心ディスクであれば、その半分の２倍速（ＤＶＤ１００の回転数が３０００ｒｐｍ程度）で記録を行う。
【００４０】
また、このような偏重心ディスクについては、高倍速記録、高倍速再生が行えないことから、光ディスク装置１のユーザの便宜のため、「このディスクは偏重心ディスクですから、高倍速で記録できません。」という旨を記録／再生処理回路６を介して表示部８にＯＳＤ表示したり、図示しないスピーカから音声で放音したりして、ユーザに報知する。または、光ディスク装置１の本体に液晶表示部を設けて、この旨をユーザに報知してもよい。
【図面の簡単な説明】
【００４１】
【図１】本実施形態のディスク装置の構成を表すブロック図
【図２】本実施形態のディスク装置の偏重心ディスク検出処理を表すフローチャート
【符号の説明】
【００４２】
１−光ディスク装置、  ２−スピンドルモータ
３−ＰＵヘッド、  ３０−ピックアップレンズ、  ３１−レーザダイオード
３２−ビームスプリッタ、  ３３−フォトディテクタ、  ３４−アクチュエータ
４０−ＲＦ信号増幅回路、  ４１−ＴＥ／ＦＥ生成部、  ４２−駆動回路
５−ウォブル検出回路、  ６−記録／再生処理回路、  ６２−レーザパワー制御回路
６３−レーザ駆動回路、  ６５−デコーダ
７−制御部、  ７１−偏重心ディスク検出プログラム、  ８−表示器
１００−ＤＶＤ
【図１】
2008034031.tif 000003
【図２】
2008034031.tif 000004